(57)【特許請求の範囲】
【請求項１】
構造物のシェルの孔に挿通配置させるための管状部材と、
前記管状部材の前記シェル内への挿入側となる長手方向一端寄りの外周面の周方向複数個所に、ブラケットを介して前記管状部材の半径方向に沿う面内で回動可能に設けた係止用羽根と、
前記係止用羽根を前記管状部材の外周面より離反する方向へ展開させるように付勢する羽根付勢手段と、
前記係止用羽根の展開方向への回動を、該係止用羽根の係止用端縁が前記シェルの内側から該シェルの孔のエッジに接する角度姿勢で規制するための羽根姿勢保持手段と、
前記管状部材における長手方向中間部の外周面に鍔状に設けた前記シェルの孔の径よりも大きい外径を有するシールプレートと、
前記シールプレートにおける前記係止用羽根に臨む側面の外周部に設けたシールチューブとを備えた構成を有すること
を特徴とするノズルアタッチメント。
【請求項２】
前記管状部材の長手方向一端部の外周面に、該管状部材の前記シェルの孔への差し込み時に該管状部材を前記孔の中央部へ案内するための側面略楔形状の挿入ガイドを、前記ブラケットと一体に、又は、前記ブラケットと別体として設けるようにした
請求項１記載のノズルアタッチメント。
【請求項３】
前記係止用羽根は、前記管状部材の長手方向一端寄りの外周面における周方向等間隔の３個所に設けるようにした
請求項１又は２記載のノズルアタッチメント。
【請求項４】
前記羽根姿勢保持手段は、前記係止用羽根の展開方向への回動を前記所定の角度姿勢で規制する機能に加えて、この回動を規制する機能を解除する機能を備えるものとした
請求項１から請求項３のいずれか一項に記載のノズルアタッチメント。
【請求項５】
前記シールプレートにおける前記係止用羽根に臨む側面の内周寄り個所に、中央部に開口を備えて前記シールチューブの少なくとも半ばまでを覆うシート状のシール部材を取り付けた
請求項１から請求項４のいずれか一項に記載のノズルアタッチメント。
【請求項６】
前記管状部材は、長手方向一端寄りで、且つ該管状部材を前記シェルの孔に差し込んだ配置とするときに前記シェルの内側に突出して配置される部分に、周壁を内外方向に貫通する孔を設けてなる構成とした
請求項１から請求項５のいずれか一項に記載のノズルアタッチメント。
【発明の詳細な説明】
【技術分野】
【０００１】
本発明は、構造物のシェルにノズルを形成するために用いるノズルアタッチメントに関するものである。
【背景技術】
【０００２】
構造物の鋼製のシェルにノズルを設ける場合は、シェルに孔を設け、その孔の周縁に、ノズルとなる管状部材の一端部を溶接して取り付ける構造が、広く一般的に採られている。
【０００３】
しかし、このノズル取付構造は、構造物のシェルと管状部材との溶接が必要なため、火気の使用が禁じられている現場では施工できない。
【０００４】
又、管状部材を溶接する作業では、溶接トーチを管状部材の外周に沿わせて移動させる必要があるため、ロボットのような遠隔操作機器を用いて現場施工することは困難である。したがって、前記ノズル取付手法は、人が立ち入ることのできない環境で採用することは難しい。
【０００５】
更に、構造物のシェルに対しノズルを溶接した構造では、ノズルを使用しなくなった場合であっても、ノズルを簡単に撤去することはできない。
【０００６】
なお、円形断面の樹脂製のダクトを容器壁に取り付ける場合の構造としては、容器壁に設けた開口にダクトの一端部を嵌入し、ダクトの一端に径方向外向きに突出させて設けた係合爪を、容器壁内面の開口周縁部に係止させる構造が考えられている（たとえば、特許文献１参照）。
【０００７】
このダクト取付構造は、ダクトの容器壁への取り付け時に溶接作業は必要としない。
【０００８】
しかし、ダクトの一端部を容器壁の開口へ嵌入させるときには、係合爪を開口に通すために、ダクト自体を撓ませる必要がある。そのため、前記ダクト取付構造は、金属製の管状部材を、構造物の鋼製のシェルに設けた孔に取り付ける場合に採用することは難しい。
【０００９】
更に、たとえば、容器壁が湾曲している場合は、容器壁に開口（孔）を設けると、開口の周縁部も湾曲する。そのため、前記ダクト取付構造では、係合爪のすべてを容器壁内面に接触させて係止させることができず、各係合爪に作用する力が不均等になることで、ダクトの向きや取り付け状態が安定しなくなる虞もある。
【先行技術文献】
【特許文献】
【００１０】
【特許文献１】特開平７−２８０１５７号公報
【発明の概要】
【発明が解決しようとする課題】
【００１１】
そこで、本発明は、構造物のシェルに設けた孔に、管状部材を、溶接作業を要することなく取り付けて、ノズルを形成することができるノズルアタッチメントを提供しようとするものである。
【課題を解決するための手段】
【００１２】
本発明は、前記課題を解決するために、請求項１に対応して、構造物のシェルの孔に挿通配置させるための管状部材と、前記管状部材の前記シェル内への挿入側となる長手方向一端寄りの外周面の周方向複数個所に、ブラケットを介して前記管状部材の半径方向に沿う面内で回動可能に設けた係止用羽根と、前記係止用羽根を前記管状部材の外周面より離反する方向へ展開させるように付勢する羽根付勢手段と、前記係止用羽根の展開方向への回動を、該係止用羽根の係止用端縁が前記シェルの内側から該シェルの孔のエッジに接する角度姿勢で規制するための羽根姿勢保持手段と、前記管状部材における長手方向中間部の外周面に鍔状に設けた前記シェルの孔の径よりも大きい外径を有するシールプレートと、前記シールプレートにおける前記係止用羽根に臨む側面の外周部に設けたシールチューブとを備えた構成を有するノズルアタッチメントとする。
【００１３】
又、請求項２に対応して、前記請求項１に対応する構成において、前記管状部材の長手方向一端部の外周面に、該管状部材の前記シェルの孔への差し込み時に該管状部材を前記孔の中央部へ案内するための側面略楔形状の挿入ガイドを、前記ブラケットと一体に、又は、前記ブラケットと別体として設けるようにした構成とする。
【００１４】
更に、請求項３に対応して、前記請求項１又は２に対応する構成において、前記係止用羽根は、前記管状部材の長手方向一端寄りの外周面における周方向等間隔の３個所に設けるようにした構成とする。
【００１５】
更に、請求項４に対応して、前記請求項１から請求項３のいずれか一項に対応する構成において、前記羽根姿勢保持手段は、前記係止用羽根の展開方向への回動を前記所定の角度姿勢で規制する機能に加えて、この回動を規制する機能を解除する機能を備えるものとした構成とする。
【００１６】
更に、請求項５に対応して、前記請求項１から請求項４のいずれか一項に対応する構成において、前記シールプレートにおける前記係止用羽根に臨む側面の内周寄り個所に、中央部に開口を備えて前記シールチューブの少なくとも半ばまでを覆うシート状のシール部材を取り付けた構成とする。
【００１７】
更に、請求項６に対応して、前記請求項１から請求項５のいずれか一項に対応する構成において、前記管状部材は、長手方向一端寄りで、且つ該管状部材を前記シェルの孔に差し込んだ配置とするときに前記シェルの内側に突出して配置される部分に、周壁を内外方向に貫通する孔を設けてなる構成とする。
【発明の効果】
【００１８】
本発明のノズルアタッチメントによれば、構造物のシェルに設けた孔に、管状部材を、溶接作業を要することなく取り付けて、ノズルを形成することができる、という優れた効果を発揮する。
【図面の簡単な説明】
【００１９】
【図１】本発明のノズルアタッチメントの実施の一形態を示すもので、（ａ）は一部切断概略側面図、（ｂ）は（ａ）のＡ−Ａ方向矢視図である。
【図２】図１（ａ）のＢ−Ｂ方向矢視図である。
【図３】図１のノズルアタッチメントの使用手順を示すもので、（ａ）はシェルの孔に差し入れ初めの状態を、（ｂ）は係止用羽根がシェルの孔を通過するまで差し入れた状態を、（ｃ）はシールチューブを膨張させた状態を、それぞれ示す図１（ｂ）に対応する図である。
【発明を実施するための形態】
【００２０】
以下、本発明を実施するための形態を図面を参照して説明する。
【００２１】
図１（ａ）（ｂ）乃至図３（ａ）（ｂ）（ｃ）は本発明のノズルアタッチメントの実施の一形態を示すものである。
【００２２】
本発明のノズルアタッチメントは、図１（ａ）（ｂ）及び図２に、符号１で示すもので、図１（ａ）に一点鎖線で示すような寸法で構造物のシェルＳに設けられる孔Ｈを対象としてノズルを形成するために用いるものである。
【００２３】
本発明のノズルアタッチメント１は、シェルＳの孔Ｈに挿通させて配置するための或る長さ寸法を有する管状部材２を備える。この管状部材２は、長手方向一端側を、シェルＳの内部に挿入して配置する側とし、長手方向他端側を、シェルＳの外部に突出させて配置する側とする。
【００２４】
管状部材２には、長手方向一端寄りの外周面における周方向等間隔の３個所に、挿入ガイド兼ブラケット３と、挿入ガイド兼ブラケット３に管状部材２の半径方向に沿う面内で回動可能となるように支持させた係止用羽根４と、係止用羽根４を管状部材２の外周面より離反する方向へ展開させるように付勢するための羽根付勢手段５と、係止用羽根４の展開方向への回動を或る角度姿勢で規制するための羽根姿勢保持手段６とを備える。
【００２５】
更に、管状部材２における長手方向中間部の外周面には、シェルＳの孔Ｈの径よりも大きい外径を有する鍔状のシールプレート７を設け、シールプレート７における係止用羽根４に臨む側の面には、シールチューブ８とシール部材９を設けた構成とする。
【００２６】
挿入ガイド兼ブラケット３は、管状部材２の長手方向に沿って、管状部材２の長手方向一端寄り個所から長手方向中間部のシールプレート７に接する位置まで延びている。
【００２７】
挿入ガイド兼ブラケット３は、或る寸法を隔てて平行配置された二枚一組の板状部材１０から構成されている。
【００２８】
各板状部材１０は、一つの端縁が管状部材２の外周面に取り付けられた状態で、管状部材２の長手方向一端寄りに配置された一端部から、管状部材２の長手方向中間部に配置された他端部に向けて、管状部材２の外周面から突出する寸法が次第に増大するように、側面形状が略楔形状となっている。更に、各板状部材１０の他端部が管状部材２の外周面から突出する寸法は、その突出端部から管状部材２の中心（管軸）までの距離が、シェルＳの孔Ｈの半径よりもやや小さくなるように設定してある。これにより、管状部材２を長手方向一端側からシェルＳの孔Ｈに差し込むときには、周方向の３個所に設けてある挿入ガイド兼ブラケット３の板状部材１０のいずれかが孔Ｈのエッジに触れると、その板状部材１０が孔Ｈのエッジに対してスライドすることで、管状部材２の位置が孔Ｈの中央寄りに補正される。したがって、管状部材２は、長手方向中間部まで孔Ｈに差し込む操作を行うと、各挿入ガイド兼ブラケット３に案内されて、自動的に孔Ｈのほぼ中央に配置される。
【００２９】
係止用羽根４は、挿入ガイド兼ブラケット３の各板状部材１０の間に収納可能な厚みを有し且つ管状部材２の長手方向に平行に延びる細長い略三角形状の側面形状を備えている。係止用羽根４の管状部材２の長手方向に沿う方向の寸法は、挿入ガイド兼ブラケット３よりも短く設定してある。
【００３０】
係止用羽根４は、管状部材２の長手方向一端寄りに配置される一端部に、板厚方向に貫通するピン挿通孔１１を備えた構成としてあり、このピン挿通孔１１に挿通させて各板状部材１０に支持させた羽根用ピン１２を介して、挿入ガイド兼ブラケット３の一端寄り個所に回動可能に取り付けられている。
【００３１】
羽根付勢手段５は、トーションバネ１３を備える。トーションバネ１３は、挿入ガイド兼ブラケット３の各板状部材１０の間で、且つ羽根用ピン１２の位置よりもシールプレート７側に寄った個所に、バネ用ピン１４を介して取り付けられている。トーションバネ１３は、一方のアーム１３ａが管状部材２の外周面に接触させてあり、他方のアーム１３ｂは、屈曲させて係止用羽根４における管状部材２の外周面寄りの端縁に係止させるようにしてある。これにより、羽根付勢手段５は、係止用羽根４と管状部材２の外周面との間に挟まれて弾性変形されるトーションバネ１３の復元力により、係止用羽根４を、管状部材２の外周面より離反して展開させる方向に付勢するようにしてある。
【００３２】
なお、係止用羽根４には、回動時にバネ用ピン１４との干渉を避けるための切欠き１５が設けてある。
【００３３】
羽根姿勢保持手段６は、係止用羽根４の他端部に設けた貫通孔１６に通して取り付けたリング状ワイヤ１７と、２本のピン部材１８と、係止ピン２０とから構成されている。２本のピン部材１８は、挿入ガイド兼ブラケット３における係止用羽根４の回動軌跡と干渉しないシールプレート７側に寄った個所で、且つ管状部材２の外周面寄りの個所に、管状部材２の長手方向に沿う方向に或る隙間を隔てて平行に設けられている。係止ピン２０は、シールプレート７に穿設したピン取付孔１９に、挿入ガイド兼ブラケット３側とは逆側の側面から挿入して取り付けてあり、先端部が、各ピン部材１８に対し管状部材２の外周面寄り近傍位置に配置されている。
【００３４】
リング状ワイヤ１７は、係止用羽根４とは離反する側の部分を、各ピン部材１８の間を通して管状部材２の外周面に近接する側へ突出させ、この突出部分に形成されるループを、係止ピン２０の先端寄り個所に掛けた状態としてある。
【００３５】
シールプレート７のピン取付孔１９と係止ピン２０との隙間は、係止ピン２０を引き抜ける程度の弱い接着性を有するシール材（図示せず）でシールするようにしてある。更に、シールプレート７のピン取付孔１９に挿通させた係止ピン２０には、シールプレート７より突出する部分の根元に、Ｏリング２１を装着した構成としてもよい。
【００３６】
以上の構成としてある羽根姿勢保持手段６は、係止用羽根４が管状部材２より離反する方向へ回動するときには、係止ピン２０に係止させたリング状ワイヤ１７が係止用羽根４の貫通孔１６との間で緊張するときの角度姿勢で、係止用羽根４の回動を規制できるようにしてある。一方、係止用羽根４が管状部材２に近接する方向の回動は、リング状ワイヤ１７が弛むことにより許容できるようにしてある。
【００３７】
なお、係止用羽根４は、図１（ｂ）に示すように、羽根姿勢保持手段６によって管状部材２の外周面より離反する方向への回動が規制された角度姿勢となるときに、管状部材２の長手方向他端寄りに配置されている係止用端縁２２が、図１（ｂ）のように、管状部材２の長手方向に対して傾斜した角度となるようにしてある。更に、係止用羽根４は、この角度姿勢のときに、係止用端縁２２の管状部材２の外周面に最も近い側の端部から、管状部材２の中心（管軸）までの距離が、シェルＳの孔Ｈの半径よりも小さくなり、且つ係止用端縁２２における管状部材２の外周面より最も遠い側の端部から、管状部材２の中心（管軸）までの距離が、シェルＳの孔Ｈの半径よりも大きくなるものとしてある。
【００３８】
これにより、前述したように、管状部材２を長手方向中間部までシェルＳの孔Ｈに差し込むときには、係止用羽根４が孔Ｈのエッジに触れると、図３（ａ）に示すように、係止用羽根４が孔Ｈのエッジに押されて挿入ガイド兼ブラケット３の各板状部材１０の間に収容される。その後、係止用羽根４が孔Ｈを通過すると、図３（ｂ）に示すように、羽根付勢手段５により付勢された係止用羽根４が、羽根姿勢保持手段６によって規制される角度姿勢まで展開する。この状態で、管状部材２の周方向の３個所に配置されている各係止用羽根４は、その係止用端縁２２で、シェルＳの内側から孔Ｈのエッジに接するようになる。
【００３９】
更に、羽根姿勢保持手段６では、シールプレート７のピン取付孔１９より係止ピン２０を引き抜く操作により、リング状ワイヤ１７を係止ピン２０より外すことができる。これにより、係止用羽根４の管状部材２の外周面より離反する方向への回動の規制は、解除される。このため、係止用羽根４では、羽根付勢手段５により付勢されている管状部材２の外周面より離反する方向への回動が自在となるため、係止用羽根４における係止用端縁２２は、シェルＳの孔Ｈのエッジより外れた位置まで移動させられるようにしてある。
【００４０】
シールプレート７は、図１（ａ）、図２に示すように、係止用羽根４に臨む側面における挿入ガイド兼ブラケット３よりも外周寄り位置に、或る幅寸法を有する略楕円形状のシールチューブ拘束部材２３が、周方向に配列して取り付けられている。
【００４１】
各シールチューブ拘束部材２３の内側には、環状のシールチューブ８が配置されている。図示しないが、シールチューブ８には、周方向の一個所に、ガス給排ノズルが設けてあり、このガス給排ノズルには、外部のガス供給手段より空気等のシールチューブ膨張用のガスを導くガス給排ラインが接続してあるものとする。
【００４２】
更に、シールプレート７の係止用羽根４に臨む側面には、中央部に開口を設けたシート状のシール部材９が、挿入ガイド兼ブラケット３の近傍位置から、シールチューブ拘束部材２３及びシールチューブ８の少なくとも半ばまでを覆うように配置されている。このシール部材９は、シールチューブ拘束部材２３よりも内側（中心側）となる個所を、円環状の固定用部材２４と、シールプレート７との間に挟み、この状態で、固定用部材２４をシールプレート７にボルト２４ａを介して取り付けることにより、シールプレート７に固定してある。
【００４３】
シール部材９は、たとえば、独立気泡型のウレタンやゴムのように、弾性変形し且つ止水性を有する材質としてある。
【００４４】
なお、図では、シール部材９の外形を略四角形状として示してあるが、より多角な形状や円形としてもよいことは勿論である。
【００４５】
シールプレート７の外周縁部には、各シールチューブ拘束部材２３を取り囲むように、或る幅寸法を有する円環状部材２５が取り付けてある。この円環状部材２５は、後述するようにシールチューブ８を膨張させるときに、シールチューブ８のシールプレート７外周側への膨出を防ぐ堰として機能させるためのものである。
【００４６】
シールチューブ８は、前述したように、図３（ｂ）に示した如く、管状部材２をシェルＳの孔Ｈに長手方向中間部まで差し込んで、各係止用羽根４の係止用端縁２２を孔Ｈのエッジに接触させた後に、ガス給排ノズルからガスを注入して膨張させる。
【００４７】
これにより、シールチューブ８は、図３（ｃ）に示すように、シールチューブ拘束部材２３の内側で膨張し、シールプレート７と、シール部材９を介して接しているシェルＳの外周面との隙間を満たした後、この隙間を拡大させる方向の力を発するようになる。この力が、管状部材２と各挿入ガイド兼ブラケット３を介して各係止用羽根４に伝えられることで、各係止用羽根４の係止用端縁２２が、シェルＳの内側から孔Ｈのエッジに強く押し付けられ、この状態で、管状部材２のシェルＳの孔Ｈに対する位置が固定される。同時に、シール部材９が、膨張するシールチューブ８により、孔Ｈを囲む位置で、シェルＳの外周面に押し付けられて密着する。このため、シールプレート７とシェルＳの外周面との隙間において、管状部材２の周囲は、シール部材９により全周に亘り水密にシールすることができる。
【００４８】
管状部材２は、図１（ａ）に示すように、長手方向一端寄りで、管状部材２をシェルＳの孔Ｈに挿通配置させるときにシェルＳの内側に突出して配置される部分に、周壁を内外方向に貫通する孔２６を設けた構成としてもよい。かかる構成によれば、本発明のノズルアタッチメント１を用いて、構造物のシェルＳにグラウトやスラリーのような流動性があまり高くない流体の充填用ノズルを形成する場合に、管状部材２を通してシェルＳの内側へ供給する前記流体を、シェルＳの内周面近傍位置へ効率よく注入させることができる。
【００４９】
以上の構成としてある本発明のノズルアタッチメント１を使用する場合は、予め、シールチューブ８内のガスを抜くか、あるいは、シールチューブ８に対するガスの出入りが自由な状態としておく。
【００５０】
この状態で、本発明のノズルアタッチメント１は、管状部材２を、図３（ａ）のように、長手方向一端側よりシェルＳの孔Ｈに差し込んで、図３（ｂ）のように、各係止用羽根４を、孔Ｈを通過させる。これにより、孔Ｈを通過した時点で羽根付勢手段５により展開される各係止用羽根４の係止用端縁２２が、孔Ｈのエッジに接するようになる。
【００５１】
次いで、本発明のノズルアタッチメント１では、図３（ｃ）のように、シールチューブ８にガスを注入して膨張させる。これにより、管状部材２には、シールプレート７とシェルＳの外周面との間で膨張するシールチューブ８により孔Ｈより引き出す方向の力が付与される一方、各係止用羽根４の係止用端縁２２がシェルＳの内側から孔Ｈのエッジに押し付けられるため、本発明のノズルアタッチメント１が、シェルＳの孔Ｈに対して固定される。
【００５２】
この際、本発明のノズルアタッチメント１では、管状部材２の周方向の３個所に係止用羽根４が設けてあるため、たとえシェルＳが円筒タンクの周壁のように湾曲していて、そこに設けられた孔Ｈのエッジが一つの平面内に位置していない場合であっても、すべての係止用羽根４の係止用端縁２２を、確実に且つ均等に孔Ｈのエッジに接触させることができる。よって、本発明のノズルアタッチメント１は、前記のようにシェルＳが湾曲していても、その孔Ｈに取り付けられた状態で、位置と向きが安定した管状部材２によるノズルを形成することができる。
【００５３】
更に、本発明のノズルアタッチメント１は、シェルＳの孔Ｈに対するノズルの設置が不要になった場合は、シールチューブ８を膨張させていたガスを抜いた後、係止ピン２０をシールプレート７のピン取付孔１９より引き抜く。これにより、各係止用羽根４は、羽根姿勢保持手段６による展開方向への回動の規制が解除されるため、この状態で、管状部材２をシェルＳの孔Ｈに多少押し込んで、各係止用羽根４を孔Ｈのエッジから離すと、各係止用羽根４は、羽根付勢手段５により付勢されている管状部材２の外周面より離反する方向へ回動させられて、係止用端縁２２が、孔Ｈのエッジより外れた位置に移動させられる。その後は、管状部材２をシェルＳの孔Ｈより引き抜くことで、本発明のノズルアタッチメント１は、撤去することができる。
【００５４】
このように、本発明のノズルアタッチメント１によれば、シェルＳの孔Ｈに、溶接作業を要することなく管状部材２を取り付けてノズルを形成することができる。
【００５５】
又、ノズルが不要になった場合には、本発明のノズルアタッチメント１は、簡単な操作によって、シェルＳの孔Ｈから容易に撤去することができる。
【００５６】
なお、本発明のノズルアタッチメント１は、取付対象となるシェルＳが湾曲している場合にも安定した取り付けを行うためには、係止用羽根４を管状部材２の外周面における周方向等間隔の３個所に設けることが望ましい。しかし、取付対象となるシェルＳの孔Ｈが平らな面に設けられていて、シェルＳの孔Ｈのエッジが一つの平面内に位置している場合は、管状部材２の周方向に等間隔の４個所以上の複数個所に、係止用羽根４を設ける構成としてもよい。更には、係止用羽根４は、管状部材２の周方向等間隔の２個所に設けた構成としても、シェルＳに溶接作業を要することなくノズルを形成するという効果は達成することができる。
【００５７】
又、本発明は、前記実施の形態にのみ限定されるものではなく、挿入ガイド兼ブラケット３は、管状部材２のシェルＳの孔Ｈへの挿入時に、挿入にしたがって管状部材２を孔Ｈの中央へ案内できるような側面略楔形状としてあり、且つ係止用羽根４を回動可能に支持することができるようにしてあれば、図示した如き２枚一組の板状部材１０からなる構成以外の任意の構成であってもよい。
【００５８】
前記実施の形態では、係止用羽根４は、挿入ガイド兼ブラケット３に支持させるものとして示したが、係止用羽根４を回動可能に支持するブラケットと、管状部材２のシェルＳの孔Ｈへの挿入時に管状部材２を孔Ｈの中央へ案内するための側面略楔形状の挿入ガイドとを、別部材として、管状部材２の長手方向一端寄りの外周面に共に設けた構成としてもよい。更に、挿入ガイドは備えることが望ましいが、たとえば、管状部材２をシェルＳの孔Ｈに差し入れる作業を視認しながら実施する場合のように、管状部材２を孔Ｈの中央部に配置させることに困難性がなくて、管状部材２を孔Ｈの中央部に自動的に案内させる機能を特に必要としない場合は、挿入ガイドは省略した構成としてもよい。
【００５９】
羽根付勢手段５は、係止用羽根４を、管状部材２の外周面より離反する方向へ回動させるように付勢できれば、トーションバネ１３以外のバネや弾性部材を用いた任意の構成としてもよい。
【００６０】
羽根姿勢保持手段６は、本発明のノズルアタッチメント１をシェルＳの孔Ｈに取り付けた後、取り外す必要がないことが明らかである場合は、係止用羽根４に一端部を接続したワイヤ等の索状物の他端部を、挿入ガイド兼ブラケット３や管状部材２に固定した構成としてもよい。あるいは、挿入ガイド兼ブラケット３と係止用羽根４との間に、係止用羽根４が所定の角度姿勢まで展開すると突き当たるストッパを設けるようにしてもよい。
【００６１】
本発明のノズルアタッチメント１を用いてシェルＳの孔Ｈに形成するノズルに水密性や気密性が求められない場合は、シール部材９を省略した構成、あるいは、シール部材９に代えて、液透過性を有するシート材を用いる構成としてもよい。
【００６２】
管状部材２の長手方向他端部には、ノズルを通して流通させるべき流体用のホースや配管との接続手段を備えるようにしてもよい。
【００６３】
その他本発明の要旨を逸脱しない範囲内で種々変更を加え得ることは勿論である。
【符号の説明】
【００６４】
１  ノズルアタッチメント、２  管状部材、３  挿入ガイド兼ブラケット（ブラケット）、４  係止用羽根、５  羽根付勢手段、６  羽根姿勢保持手段、７  シールプレート、８  シールチューブ、９  シール部材、２２  係止用端縁、２６  孔、Ｓ  シェル、Ｈ  孔
【図１】
0006372238.tif 000002
【図２】
0006372238.tif 000003
【図３】
0006372238.tif 000004